(57)【要約】【課題】作業用ゴンドラ装置に用いる養生シートの設置コストが安価になるとともに、その設置作業が容易にである作業用ゴンドラ装置を提供する。【解決手段】  ゴンドラ本体２には、その周方向において、前記作業者が建物に対して作業を行うための作業用開口部５９が形成され、作業用開口部５９の両端よりも外側に位置する建物１１の外壁面１１ａに対して、夫々養生ネット用ガイドワイヤ５１，５１を上下方向に設け、作業用開口部５９における両側端部に位置するゴンドラ本体部２と養生ネット用ガイドワイヤ５１との間、及び、ゴンドラ本体部２の周方向において作業用開口部が形成された側面以外の面を、養生ネット５３，５６で覆い、養生ネット５３，５６を、ゴンドラ本体部２に取付け、養生ネット５３，５６の下端をゴンドラ本体部２の下端より下方まで延在させ、養生ネット５３，５６における養生ネット用ガイドワイヤ側端部を、養生ネット用ガイドワイヤ５１に対し、昇降可能に取付けた。【選択図】  図１５
2020101013.tif 000002
【特許請求の範囲】
【請求項１】
作業者が搭乗できるゴンドラ本体部を昇降可能に１つまたは複数備え、
各ゴンドラ本体部には、その周方向において、前記作業者が建物に対して作業を行うための作業用開口部が、１つまたは複数形成され、
前記全ての作業用開口部において、ゴンドラ本体部の周方向における両端よりも外側に位置する建物の外壁面に対して、夫々養生ネット用ガイドワイヤを上下方向に設け、
前記全ての作業用開口部における両側端部、若しくは、それよりも周方向の外側に位置するゴンドラ本体部と前記養生ネット用ガイドワイヤとの間、及び、ゴンドラ本体部の周方向において作業用開口部が形成された側面以外の面を、養生ネットで覆い、
該養生ネットを、前記ゴンドラ本体部に取付け、前記養生ネットの下端を前記ゴンドラ本体部の下端より下方まで延在させ、
養生ネットにおける養生ネット用ガイドワイヤ側端部を、養生ネット用ガイドワイヤに対し、昇降可能に取付けたことを特徴とする作業用ゴンドラ装置。
【請求項２】
建物の外壁面に、養生ネット用取付金具を上下方向に適宜間隔を有して複数取付け、該養生ネット用取付金具に対して、前記養生ネット用ガイドワイヤを取付け、
前記養生ネット用ガイドワイヤに対して、前記養生ネットにおける養生ネット用ガイドワイヤ側端部を、取り外し可能に取り付けたことを特徴とする請求項１記載の作業用ゴンドラ装置。
【請求項３】
建物の外壁面に、養生ネット用取付金具を上下方向に適宜間隔を有して複数取付け、該養生ネット用取付金具に対して、前記養生ネット用ガイドワイヤを取り外し可能に取付けたことを特徴とする請求項１記載の作業用ゴンドラ装置。
【請求項４】
前記ゴンドラ本体部を複数設け、その間に連結部材を介在させて連結したことを特徴とする請求項１乃至３の何れか１項に記載の作業用ゴンドラ装置。
【発明の詳細な説明】
【技術分野】
【０００１】
本発明は、作業用ゴンドラ装置に関する。
【背景技術】
【０００２】
従来、建物の外壁面に対して所定距離離間させて、養生シートを、建物の周方向全体に取り付けるとともに、上下方向に開閉自在に取付け、この養生シートと建物との間で、かつ、建物の上方から吊り下げられたゴンドラ本体部を位置させ、このゴンドラ本体部に、作業者が搭乗して、建物の外壁面に対して、洗浄、補修、塗装などを行うことが行われている。（特許文献１参照）。
【０００３】
この養生シートにより、建物の外壁面に対する作業で生じる塗料等の飛散を抑制できるようになっている。
【先行技術文献】
【特許文献】
【０００４】
【特許文献１】特開２００６−３４８６９１号公報
【発明の概要】
【発明が解決しようとする課題】
【０００５】
上記従来技術においては、台風などが接近等した場合には、養生シートを全て下げる作業が必要となる。また、養生シートを建物の全周に亘って取り付ける必要があり、設置コストが高く、また、その設置に労力を要するという問題がある。
【０００６】
そこで、本発明は、上記問題点を解決した作業用ゴンドラ装置を提供することを目的とするものである。
【課題を解決するための手段】
【０００７】
前記の課題を解決するために、請求項１記載の発明は、作業者が搭乗できるゴンドラ本体部を昇降可能に１つまたは複数備え、
各ゴンドラ本体部には、その周方向において、前記作業者が建物に対して作業を行うための作業用開口部が、１つまたは複数形成され、
前記全ての作業用開口部において、ゴンドラ本体部の周方向における両端よりも外側に位置する建物の外壁面に対して、夫々養生ネット用ガイドワイヤを上下方向に設け、
前記全ての作業用開口部における両側端部、若しくは、それよりも周方向の外側に位置するゴンドラ本体部と前記養生ネット用ガイドワイヤとの間、及び、ゴンドラ本体部の周方向において作業用開口部が形成された側面以外の面を、養生ネットで覆い、
該養生ネットを、前記ゴンドラ本体部に取付け、前記養生ネットの下端を前記ゴンドラ本体部の下端より下方まで延在させ、
養生ネットにおける養生ネット用ガイドワイヤ側端部を、養生ネット用ガイドワイヤに対し、昇降可能に取付けたことを特徴とするものである。
【０００８】
請求項２記載の発明は、請求項１記載の発明において、建物の外壁面に、養生ネット用取付金具を上下方向に適宜間隔を有して複数取付け、該養生ネット用取付金具に対して、前記養生ネット用ガイドワイヤを取付け、
前記養生ネット用ガイドワイヤに対して、前記養生ネットにおける養生ネット用ガイドワイヤ側端部を、取り外し可能に取り付けたことを特徴とするものである。
【０００９】
請求項３記載の発明は、請求項１記載の発明において、建物の外壁面に、養生ネット用取付金具を上下方向に適宜間隔を有して複数取付け、該養生ネット用取付金具に対して、前記養生ネット用ガイドワイヤを取り外し可能に取付けたことを特徴とするものである。
【００１０】
請求項４記載の発明は、請求項１乃至３の何れか１項に記載の発明において、前記ゴンドラ本体部を複数設け、その間に連結部材を介在させて連結したことを特徴とするものである。
【発明の効果】
【００１１】
本発明によれば、全ての作業用開口部における周方向の両端部の外側に位置する建物の外壁面に対して養生ネット用ガイドワイヤを張設し、養生ネットの上端部を、ゴンドラ本体部の上端部に固着し、下端をゴンドラ本体部の下端より下方にまで延在させ、養生ネットにおける養生ネット用ガイドワイヤ側端部を、養生ネット用ガイドワイヤに対し、昇降可能に取付けたことにより、上記従来の養生ネットを建物の全周に張設する技術と比較して、構造を簡略化でき、設置コストを低減できる。また、、ゴンドラ本体部を降下させると、養生ネットも同時に降下するために、台風の接近等に応じて、養生ネットを降下させる必要がない。
【００１２】
また、全ての作業用開口部における両側端部が位置するゴンドラ本体部の側面の外側端部と前記養生ネット用ガイドワイヤとの間、及び、ゴンドラ本体部の周方向において作業用開口部が形成された側面以外の面を、養生ネットで覆ったことにより、塗料等の外部への飛散を抑制することができる。
【図面の簡単な説明】
【００１３】
【図１】本発明の実施例１に用いるゴンドラ本体部の一部の斜視図。
【図２】図１のゴンドラ本体部を用いた作業状態示す側面図、なお、養生ネットは図示しない。
【図３】（ａ）は本発明の実施例１に用いる伸縮部材の筒状部を示し、（ｂ）はその伸縮部を示す図。
【図４】本発明の実施例１に用いる係合部材のガイドワイヤに対する係合状態を示す図。
【図５】図４の状態から一方の係合部材を、ガイドワイヤから取り外した後に、ガイドワイヤにおける取付金具を跨いだ位置に再度取付けた状態の図。
【図６】本発明の実施例１に用いる引掛部材と抜止部材とを閉口状態でガイドワイヤに係合させた状態の図。
【図７】図６の状態から抜止部材を引掛部材に対して回動させた開口状態の図。
【図８】出窓部がない外壁面と、下側飛散抑制部材と、ゴンドラ本体部との関係を示す上面図。
【図９】出窓部の外面と、下側飛散抑制部材と、ゴンドラ本体部との関係を示す上面図。
【図１０】出窓部がない外壁面と、上側飛散抑制部材と、ゴンドラ本体部との関係を示す上面図。
【図１１】出窓部と、上側飛散抑制部材と、ゴンドラ本体部との関係を示す上面図。
【図１２】図８の側面図。
【図１３】図９の側面図。
【図１４】本発明の実施例１に用いる下側ストッパ部材の要部拡大斜視図。
【図１５】図２の状態において、養生ネットを加えた状態の斜視図。
【図１６】ゴンドラ本体部２を降下させた際の、養生ネットと養生ネット用ガイドワイヤとの関係を説明するための側面図。
【図１７】本発明の実施例３の作業用ゴンドラ装置の上面図。
【図１８】本発明の実施例４の作業用ゴンドラ装置の斜視図。
【図１９】図１８の上面図。
【図２０】本発明の実施例４に用いるゴンドラ本体部と連結部材の斜視図。
【図２１】本発明の実施例４に用いる連結部材の斜視図。
【図２２】本発明の実施例４におけるゴンドラ本体部と建物との配置関係の一例を示す上面図。
【図２３】本発明におけるその他の実施例の作業用ゴンドラの作業状態示す側面図、なお、養生ネットは図示しない。
【図２４】本発明におけるその他の実施例に用いる係合部材とガイドワイヤとの係合状態を示す図。
【発明を実施するための形態】
【００１４】
本発明を実施するための形態を図に示す実施例に基づいて説明する。
【００１５】
［実施例１］
図１は、本実施例１に係るゴンドラ本体部２の斜視図を示し、養生ネットは省略している。図１５は、ゴンドラ本体部２を用いた作業用ゴンドラ装置１の斜視図である。この作業用ゴンドラ装置１は、建物における外壁面において、その洗浄、補修、塗装等の作業を行う場合に使用するものである。
【００１６】
作業用ゴンドラ装置１は、図１，図２に示すように、作業者１０が乗降できるとともに、作業者１０が搭乗して、建物１１における外壁面１１ａの洗浄、補修、塗装等の作業を行うゴンドラ本体部２を有する。
【００１７】
以下において、ゴンドラ本体部２において、建物側を前側Ａ、反対側を後側Ｂとし、建物１１の上階側を上側Ｃ、下階側を下側Ｄとするとともに、図１のＸ−Ｘ方向を前後方向、Ｙ−Ｙ方向を左右方向として説明する。
【００１８】
ゴンドラ本体部２は、作業者１０が乗る作業台３を有し、作業台３の前側Ａの両側部には、前側支柱４ａ，４ａが並設され、その後側Ｂの両側部には、後側支柱４ｂ，４ｂが並設されている。作業台３の下部の４隅にはキャスタ６が設けられている。
【００１９】
左右夫々において、前後に設けた支柱４ａ，４ｂの上端間には上横桟７ａが架設され、前側支柱４ａと４ａの間の上端間には上前桟７ｂが架設され、後側支柱４ｂと４ｂの間の上端間には上後桟７ｃが架設されている。
【００２０】
左右夫々において、前後に設けた支柱４ａ，４ｂにおける上下方向の中央部間には中横桟８ａが架設され、前側支柱４ａと４ａにおける上下方向の中央部間には中前桟８ｂが架設され、後側支柱４ｂと４ｂにおける上下方向中央部間には中後桟８ｃが架設されている。
【００２１】
ゴンドラ本体部２は、図２，図１２，図１３，図１５に示すように、建物１１の上部より垂設した昇降用ワイヤ１５を駆動部１４に係合して、駆動部１４の回転により、昇降用ワイヤ１５に沿って昇降できるようになっている。
【００２２】
作業を行う建物１１の出窓部１１ｂを除く外壁面１１ａには、図１０〜図１３に示すように、上下方向に適宜間隔を有して、複数のアイボルトやフック等の取付金具１６が、ゴンドラ本体部２の左右両側部に位置するように、２列固設されている。取付金具１６の上下方向の取付間隔は、任意に設定することができ、本実施例では、外壁面１１ａの上下方向において１階毎に等間隔で取付けた。
【００２３】
また、外壁面１１ａに取付けた取付金具１６の挿通穴１６ａに対して、ガイドワイヤ１７が挿通して取付けられている。取付金具１６としては、例えば、図４に示すように、建物１１の外壁面１１ａに取付け固定でき、かつ、ガイドワイヤ１７を挿通保持できるものを使用する。このように、建物１１の外壁面１１ａに対して、上下方向に適宜間隔で取付金具１６を取り付け、この取付金具１６の挿通穴１６ａにガイドワイヤ１７を挿通して張設したことにより、ガイドワイヤ１７は建物１１に対して、位置決めして取り付けられる。
【００２４】
ガイドワイヤ１７の上端は、図１２に示すように、建物１１の屋上に固着され、その下端は、建物１１の下部若しくは地上に固着されるとともに、上下の少なくとも一方からウィンチ等により引っ張ることにより、ガイドワイヤ１７に張力を付与し、ガイドワイヤ１７を外壁面１１ａに対して張設する。このガイドワイヤ１７は、ゴンドラ本体部２と建物１１の間に設けられる。
【００２５】
ゴンドラ本体部２の左右方向（Ｙ−Ｙ方向）において、夫々の前後方向に設けられた上横桟７ａには、図１に示すように、上側伸縮部材２０の筒状部２１が、その軸芯が前後方向に位置するようにカシメ等により取り外し可能に取り付けられている。上側伸縮部材２０は、図１，図８に示すように、ガイドワイヤ１７と干渉しないように、ガイドワイヤ１７より左右方向（Ｙ−Ｙ方向）の外側に位置するように配置されている。
【００２６】
上側伸縮部材２０は、図１，図３に示すように、筒状部２１と伸縮部２２を有する。
【００２７】
筒状部２１は、図３（ａ）に示すように、内部に中空部を有する円筒状に形成され、その軸方向に所定の長さの案内溝部２１ａが、外周面と内周面側が開口するように形成され、案内溝部２１ａの軸方向には、複数の係合溝２１ｂが、案内溝部２１ａと略平行となるように適宜間隔で形成され、案内溝部２１ａと係合溝２１ｂは移動溝２１ｃで連通している。係合溝２１ｂと移動溝２１ｃは、図３（ａ）に示すように、Ｌ字状に形成されている。
【００２８】
伸縮部２２は、図３（ｂ）に示すように、円筒状に形成された伸縮本体部２２ａを有し、伸縮本体部２２ａは、筒状部２１の中空部内に、その軸方向に摺動可能に収納されている。伸縮部２２の先部は、図１に示すように、ゴンドラ本体部２の前面から外壁面１１ａ側に突出するように設けられている。
【００２９】
また、伸縮本体部２２ａの後Ｂ側端部には、伸縮本体部２２ａの外周面から、その軸芯と直交する外側方向に突出する溝係合部２２ｂが取り付けられている。この溝係合部２２ｂを、例えば、図３（ｂ）に示すように、ネジを溶接等で固定して形成したり、伸縮本体部２２ａに雌ねじ穴を形成し、この雌ねじ穴に対し、蝶ねじを螺合して形成する。
【００３０】
伸縮部２２の溝係合部２２ｂは、筒状部２１の案内溝部２１ａと係合溝２１ｂと移動溝２１ｃ内を移動できるようになっている。伸縮部２２の溝係合部２２ｂを、筒状部２１に形成された複数の係合溝２１ｂにおける所望の係合溝２１ｂに係合させることにより、筒状部２１に対する伸縮部２２の突出量を変更できるとともに、その突出量を保持することができるようになっている。
【００３１】
また、伸縮本体部２２ａの前側（Ａ側）部には、伸縮本体部２２ａとは別体で構成された先端部２２ｅを前側（外壁面１１ａ側）に付勢する付勢部２２ｃを有し、付勢部２２ｃとして本実施例ではコイルスプリングを用いた。付勢部２２ｃの先部には、少なくともゴンドラ本体部２の昇降方向に回動できる回動部材２２ｄが設けられ、本実施例では回動部材２２ｄとしてキャスタを用いた。
【００３２】
上記の構造により、筒状部２１に対して伸縮部２２を進退移動させて上側伸縮部材２０を伸縮させ、伸縮部２２を所定の位置で保持することができるようになっている。すなわち、上側伸縮部材２０は、ゴンドラ本体部２の前面から外壁面１１ａ側への突出量を変更することができるようになっている。
【００３３】
ゴンドラ本体部２の左右それぞれにおいて、前後に設けた支柱４ａ，４ｂの下部には、上記上側伸縮部材２０と同様の構造を有する下側伸縮部材２４がカシメ等により取り外し可能に取り付けられている。下側伸縮部材２４は、上記上側伸縮部材２０と同様に、図１に示すように、ガイドワイヤ１７より左右方向（Ｙ−Ｙ方向）の外側に位置するように配置されている。
【００３４】
また、ゴンドラ本体部２は、図１，図２，図４〜図７に示すように、ガイドワイヤ１７に対して、取り外し可能に係合する係合部材３０を備えている。係合部材３０は、図６，図７に示すように、先部に引掛部３１ａが形成された引掛部材３１と、先部に抜止部３２ａが形成された抜止部材３２を備えている。
【００３５】
引掛部３１ａは、図７に示すように、開口部３１ｂを有する円弧状に形成されており、ガイドワイヤ１７に引掛部３１ａを、開口部３１ｂを通じて引っ掛け、ゴンドラ本体部２側から引っ張った際に、引掛部３１ａの一部がガイドワイヤ１７より外壁面１１ａ側に位置することにより、ガイドワイヤ１７から容易に外れないようになっている。また、引掛部３１ａを斜め前方に移動させることで、開口部３１ｂからガイドワイヤ１７を容易に取り外すことができるようになっている。
【００３６】
抜止部材３２は、引掛部３１ａの基部に設けた回転軸３１ｃを中心として、引掛部材３１に対して回動可能に連結されている。
【００３７】
抜止部３２ａは、図６〜図７に示すように、開口部を有する円弧状に形成されている。抜止部材３２は、回転軸３１ｃを中心として回動することにより、抜止部３２ａは、引掛部３１ａの開口部３１ｂを、開閉することができるようになっている。抜止部３２ａは、ガイドワイヤ１７に引掛部３１ａを引っ掛け、開口部３１ｂを閉状態とした状態において、引掛部３１ａのガイドワイヤ１７からの抜け外れを抑制する。
【００３８】
抜止部材３２の軸方向における奥部側、すなわち、回転軸３１ｃを中心とする抜止部３２ａの反対側には、その外面にのこぎり刃状の保持部３２ｂが形成され、図６に示すように、抜止部３２ａにより引掛部３１ａの開口部３１ｂを閉じた状態（閉口状態）で、引掛部材３１のゴンドラ本体部２側部に回動可能に設けたコ字状のロック部３１ｅを、抜止部材３２の保持部３２ｂに係合させることで、図６に示すように、その閉状態を保持することができるようになっている。
【００３９】
また、図６に示すように、抜止部３２ａにより引掛部３１ａの開口部３１ｂを閉じた状態では、ガイドワイヤ１７は、その軸方向における一部の外周全体が、抜止部３２ａと引掛部３１ａで覆われているとともに、抜止部３２ａと引掛部３１ａにより挟圧保持されている。
【００４０】
係合部材３０は、図４，図５に示すように、１本のガイドワイヤ１７に対して２個設けられている。一の係合部材３０における引掛部材３１のゴンドラ本体部２側部と、他の係合部材３０の引掛部材３１のゴンドラ本体部２側部同士は、Ｙ字状の第１連結部材３５を介して連結され、第１連結部材３５と引掛部材３１は、少なくとも引掛部材３１の軸芯を中心として回動可能に連結され、本実施例においては、いずれの方向にも回動可能な自在継手（ユニバーサルジョイント）３６を用いて連結した。
【００４１】
第１連結部材３５は、いずれの方向にも回動可能な自在継手（ユニバーサルジョイント）３７を介して第２連結部材３８と連結されている。第２連結部材３８は、先端部の連結部３８ａ以外は、曲折可能なワイヤ３９で構成されている。このワイヤ３９は、図１，図２に示すように、距離調整部材４０で、ワイヤ３９を巻き取ったり、緩めたりすることで、巻き取られていないワイヤ３９の長さを調節することができるようになっている。
【００４２】
この距離調整部材４０はカシメ等により、左右夫々の中横桟８ａに取り外し可能に取り付けられている。距離調整部材４０は、ワイヤ３９を巻き取ったり、緩めたりすることができれば任意の部材を用いることができ、例えば、ウィンチ、ラチェット付巻き取り器などを用いることができ、本実施例はウィンチを用いた。
【００４３】
このように、距離調整部材４０は、ゴンドラ本体部２に対する係合部材３０の引掛部３１ａの離間距離を調節することができるとともに、ガイドワイヤ１７に係合部材３０を係合させた状態で、ワイヤ３９を巻き取ることにより、係合部材３０に対して、ゴンドラ本体部２側へ引っ張る力を付与し、その反力によりゴンドラ本体部２をガイドワイヤ１７側に引っ張り、ゴンドラ本体部２に対し、建物１１側方向への力を常に付与し、すなわち、ゴンドラ本体部２は、建物１１の外壁面１１ａ側に付勢される。
【００４４】
また、ゴンドラ本体部２は、その前側の下部に、その左右方向（Ｙ−Ｙ方向）全体に亘って下側飛散抑制部材４１が配設されている。
【００４５】
下側飛散抑制部材４１は、図８，図９に示すように、左右方向（Ｙ−Ｙ方向）に少なくとも３つに分割して形成され、本実施例においては、３分割の下側構成体４１ａ，４１ｂ，４１ｃで構成し、中央に位置する下側構成体４１ｂの横方向の幅は、図９に示すように、建物１１の出窓部１１ｂの横幅と略同じに設定した。
【００４６】
各下側構成体４１ａ，４１ｂ，４１ｃは、夫々が任意の場所で曲折可能なシート状に形成されたシート状部材４３を有し、シート状部材４３の左右方向（Ｙ−Ｙ方向）の両側部には、前後方向（Ｘ−Ｘ方向）に伸縮可能な伸縮部材４２が固設され、その後側端部が、左右方向（Ｙ−Ｙ方向）に配置され、かつ、回転可能な回転軸４４に固定され、ゴンドラ本体部２に対して上下方向に回動可能に取り付けられている。伸縮部材４２は、その軸方向に伸縮できれば任意の構造を用いることができ、本実施例では、上側伸縮部材２０と同様の構造に構成し、その回動部材２２ｄが外壁面１１ａと出窓部１１ｂの外面１１ｃに対して当接するようになっている。
【００４７】
シート状部材４３において、ガイドワイヤ１７が位置する部分には、図８に示すように、切り欠き部４３ａが形成され、シート状部材４３とガイドワイヤ１７が干渉しないようになっている。
【００４８】
これにより、夫々の下側構成体４１ａ，４１ｂ，４１ｃのシート状部材４３は、夫々、独立して前後方向（Ｘ−Ｘ方向）に伸縮することができるようになっている。例えば、図９に示すように、出窓部１１ｂが位置する中央に配置された下側構成体４１ｂを、左右の下側構成体４１ａ，４１ｃに対して、前後方向の長さを短くすることができるようになっている。
【００４９】
また、夫々の下側構成体４１ａ，４１ｂ，４１ｃの伸縮部材４２は、その後側端部が、左右方向（Ｙ−Ｙ方向）に設けられた同一の回転軸４４に固定され、ゴンドラ本体部２に対して、３分割された下側飛散抑制部材４１は一体として回動し、ゴンドラ本体部２の前面に対する下側構成体４１ａ，４１ｂ，４１ｃの傾斜角度は、すべて同じになるようになっている。
【００５０】
ゴンドラ本体部２には、下側飛散抑制部材４１の前端が、後端より上側に位置し、かつ、下側飛散抑制部材４１が、そのゴンドラ本体部２の前面に対する傾斜角度が鋭角の所定角度より大きくなる方向へ回動することを抑制する下側ストッパ部５２が設けられている。
【００５１】
下側ストッパ部５２は任意の構造を用いることができるが、本実施例では図１，図１４に示すように、ゴンドラ本体部２の前側の下部に取付支柱４９を固設し、この取付支柱４９に、左右方向（Ｙ−Ｙ方向）に軸受穴を有する軸受け４９ａが固定されている。この軸受け４９ａの軸受穴に、回転軸４４が回転可能に挿通されている。軸受け４９ａには、その周方向に長孔４９ｂが形成され、この長孔４９ｂ内には、回転軸４４に固設した突出ピン４９ｃが、移動可能に設けられている。これにより、下側飛散抑制部材４１は、ゴンドラ本体部２の前面に対して所定の角度以上となるように、下側方向へ回動することが抑制されている。回転軸４４、軸受け４９ａ、長孔４９ｂ、突出ピン４９ｃで下側ストッパ部材５２を構成する。
【００５２】
ゴンドラ本体部２の前側の下部で、かつ、下側飛散抑制部材４１よりも上側に位置して、上側飛散抑制部材４５が、図１０，図１１に示すように、左右方向（Ｙ−Ｙ方向）の略全体に亘って配設されている。
【００５３】
上側飛散抑制部材４５は、取付部材４６を有する。取付部材４６は、左右方向（Ｙ−Ｙ方向）に少なくとも３つに分割して形成され、本実施例においては、８分割の上側構成体４６ａ〜４６ｈで構成した。
【００５４】
上側構成体４６ａ〜４６ｈの後端部は、左右方向（Ｙ−Ｙ方向）に設けられ、かつ、ゴンドラ本体部２に対して回転可能に設けた同一の回転軸４８に固定され、ゴンドラ本体部２に対して、上側構成体４６ａ〜４６ｈは一体として上下方向に回動でき、ゴンドラ本体部２の前面に対する上側構成体４６ａ〜４６ｈの傾斜角度は、すべて同じになるようになっている。
【００５５】
夫々の上側構成体４６ａ〜４６ｈには、図１に示すように、軸方向に可撓性を有する多数の長尺の毛状部材４７が、取り外し可能に取り付けられている。毛状部材４７として任意の部材を用いることができるが、本実施例では、刷毛に用いられる毛状部材を用いた。
【００５６】
毛状部材４７として、その前後方向（軸方向）の長さが異なる複数種類を用意し、ゴンドラ本体部２と対向する建物１１の外面の凹凸、出窓部１１ｂの有無などに応じて、夫々の上側構成体４６ａ〜４６ｈに対して、長さの異なる毛状部材４７を付け替え、洗浄、塗装等の作業を行うようになっている。
【００５７】
ゴンドラ本体部２には、上側構成体４６ａ〜４６ｈの前端が、後端より上側に位置し、かつ、上側構成体４６ａ〜４６ｈが、そのゴンドラ本体部２の前面に対する傾斜角度が鋭角の所定角度より大きくなる方向へ回動することを抑制する上側ストッパ部５８が設けられている。上側ストッパ部５８は、任意の構造を用いることができるが、本実施例では、下側飛散抑制部材４１に設けた上記下側ストッパ部５２と同様に構成した。
【００５８】
ゴンドラ本体部２を配置する外壁面１１ａには、図８，図１５に示すように、左右のガイドワイヤ１７，１７の左右方向（Ｙ−Ｙ方向）の夫々の外側に位置し、かつ、上下方向に適宜間隔を有して、養生ネット用取付金具５０，５０が複数固設されている。養生ネット用取付金具５０の上下方向の取付間隔は、任意に設定することができ、等間隔に設置してもよいし、上方に向かうほど間隔を狭く、下方ほどに向かうほど間隔を広くするようにしてもよい。
【００５９】
外壁面１１ａに取付けた養生ネット用取付金具５０には、ワイヤ挿通穴５０ａが形成され、図１５に示すように、ワイヤ挿通穴５０ａに養生ネット用ガイドワイヤ５１が挿通されている。養生ネット用ガイドワイヤ５１の上端は、建物１１の屋上に固着され、その下端は、建物１１の下部若しくは地上に固着されるとともに、上下の少なくとも一方からウィンチ等で引っ張ることにより、養生ネット用ガイドワイヤ５１に張力が付与されるようになっている。
【００６０】
ゴンドラ本体部２における左右の上横桟７ａ，７ａには、図１５に示すように、夫々、側部昇降養生ネット５３，５３の上端部５３ａ，５３ａが固着されている。側部昇降養生ネット５３の下端は、ゴンドラ本体部２の下端より下方に延設され、建物１１の下部に設置した仮足場５４や地面等に少なくとも一部が固定されている。
【００６１】
側部昇降養生ネット５３の前端（建物側端）５３ｂには、図１５に示すように、フック、カラビナ等の係合金具５５が、上下方向に適宜間隔を有して複数取付けられている。各係合金具５５は、養生ネット用ガイドワイヤ５１に対して取り外し可能に取り付けられている。係合金具５５の上下方向の取付間隔は、任意に設定することができる。側部昇降養生ネット５３の後端５３ｃは、ゴンドラ本体部２の後端に位置している。側部昇降養生ネット５３は、ゴンドラ本体部２の左右両側に設けられ、ゴンドラ本体部２の周方向の側面において、その後端から養生ネット用ガイドワイヤ５１にかけての開口部全体が覆われている。
【００６２】
ゴンドラ本体部２の上後桟７ｃには、図１５に示すように、後部昇降養生ネット５６の上端５６ａが固着され、その両側端は、ゴンドラ本体部２の両側端に位置し、その下端は、ゴンドラ本体部２の下端より下方に延設され、建物１１の下部に設置した仮足場５４や地面等に少なくとも一部が固定されている。これにより、ゴンドラ本体部２の後側開口全体は、後部昇降養生ネット５６により覆われている。
【００６３】
また、図２，図８に示すように、ゴンドラ本体部２における建物１１側の面には、搭乗した作業者１０が、建物１１の外壁面１１ａ、出窓部１１ｂなどに対して、洗浄、補修、塗装などの作業を行うための作業用開口部５９が形成されている。作業用開口部５９におけるゴンドラ本体部２の周方向の両側端部（左右Ｙ−Ｙ方向の両側端部）には、図８に示すように、側部昇降養生ネット５３，５３が位置するようになっている。なお、ゴンドラ本体部２における建物１１側の面に、作業用開口部５９が形成されていればよく、作業用開口部５９を、その横方向全体に亘って形成しても、横方向の一部に形成してもよい。
【００６４】
ゴンドラ本体部２の周方向（側面方向）において、作業用開口部５９を有する建物１１側面以外の側面は、側部昇降養生ネット５３，５３と後部昇降養生ネット５６により、建物１１側の面以外はコ字状に覆われている。側部昇降養生ネット５３と後部昇降養生ネット５６は、通気性を有し、塗料等の外部への飛散を抑制できるものであれば任意のものを用いることができる。
【００６５】
また、作業用開口部５９と、両側の側部昇降養生ネット５３，５３と、建物１１で囲まれた作業空間６０が形成され、作業空間６０内での外壁面１１ａ等への洗浄、補修、塗装等の作業により生じる塗料等の外部への飛散は、側部昇降養生ネット５３と後部昇降養生ネット５６により抑制される。
【００６６】
仮足場５４の上部には、下側養生部材５７が横方向に設けられ、下側養生部材５７により、少なくとも、左右の側部昇降養生ネット５３，５３の下端と後部昇降養生ネット５６の下端と建物１１で囲まれた部分は覆われている。下側養生部材５７としては、塗料等の飛散を抑制できる部材であれば、養生シートや木板など任意の部材を用いることができる。なお、下側養生部材５７は状況に応じて設けなくてもよい。
【００６７】
側部昇降養生ネット５３、後部昇降養生ネット５６の上端は、ゴンドラ本体部２の昇降に追従して昇降するようになっている。
【００６８】
次に、ゴンドラ本体部２を用いた作業方法について説明する。
【００６９】
先ず、図１５に示すように、建物１１の外壁面１１ａに対して、任意の方法により、取付金具１６，５０を取付けるとともに、取付金具１６にガイドワイヤ１７を取付け、養生ネット用取付金具５０に養生ネット用ガイドワイヤ５１を取付ける。
【００７０】
次に、ゴンドラ本体部２を、最も下側に位置した状態で、左右の側部昇降養生ネット５３，５３の上端と後部昇降養生ネット５６の上端をゴンドラ本体部２に取付けた後に、ゴンドラ本体部２を、昇降用ワイヤ１５と駆動部１４により上昇させながら、養生ネット用ガイドワイヤ５１に対して、側部昇降養生ネット５３の係合金具５５を、その下端側から順次、適宜間隔で取付ける。
【００７１】
次に、ゴンドラ本体部２を最も高い位置とした状態で、建物１１の出窓部１１ｂを除いた外壁面１１ａに対して、伸縮部材２０，２４の軸方向の長さを調節し、図２，図１２に示すように、伸縮部材２０，２４の回動部材２２ｄを外壁面１１ａに当接させるとともに、ゴンドラ本体部２の外壁面１１ａに対する離間距離が所望の距離Ｌ１となるように調節する。
【００７２】
また、ガイドワイヤ１７に係合部材３０を、図１，図６に示すように係合させ、距離調整部材４０により、係合部材３０に対して、ゴンドラ本体部２側への張力を付与し、ゴンドラ本体部２をガイドワイヤ１７、すなわち、建物１１の外壁面１１ａ側に付勢する。
【００７３】
また、下側飛散抑制部材４１の前後方向の長さを調節するとともに、上側飛散抑制部材４５に所望の長さの毛状部材４７を取付け、下側飛散抑制部材４１と上側飛散抑制部材４５の先部を、外壁面１１ａに当接させる。
【００７４】
次に、ゴンドラ本体部２の作業空間６０内で、図２に示すように、作業者１０が、建物１１の外壁面１１ａ等の洗浄、補修、塗装作業等を行う。
【００７５】
次に、係合部材３０における引掛部材３１のロック部３１ｅと、抜止部材３２の保持部３２ｂとの係合を図７に示すように解除し、抜止部材３２を、回転軸３１ｃを中心として、引掛部材３１に対して回動させ、係合部材３０とガイドワイヤ１７の係合を挟圧保持した状態を解除し、引掛部３１ａがガイドワイヤ１７に引っ掛かったままの状態で、駆動部１４により、ゴンドラ本体部２を所定距離降下させた後に、上記と逆の操作で係合部材３０とガイドワイヤ１７を係合させ、ゴンドラ本体部２が下方に移動することを抑制する。そして、建物１１の外壁面１１ａ等の洗浄、補修、塗装作業等を行う。
【００７６】
ゴンドラ本体部２の降下時においても、係合部材３０に対して、ゴンドラ本体部２側への張力は付与され、ゴンドラ本体部２は建物１１の外壁面１１ａ側に付勢されるとともに、伸縮部材２０，２４により、ゴンドラ本体部２の外壁面１１ａに対する離間距離は所定の距離保たれ、ゴンドラ本体部２は安定して降下させることができる。
【００７７】
このように、ゴンドラ本体部２を順次降下させながら、建物１１の外壁面１１ａ等の洗浄、補修、塗装作業等を随時行う。
【００７８】
ゴンドラ本体部２を降下させた際に、図４に示すように、係合部材３０が、取付金具１６の近傍に位置した際には、上方に位置する一方の係合部材３０Ａとガイドワイヤ１７との挟圧保持を解除した後に、一方の係合部材３０Ａをガイドワイヤ１７から取り外し、自在継手３７を中心として、図５に示すように、一方の係合部材３０Ａを、取付金具１６と他方の係合部材３０Ｂより下側に位置するように回動させる。これにより、一方の係合部材３０Ａは取付金具１６を乗り越えることができる。なお、一方の係合部材３０Ａとガイドワイヤ１７との挟圧保持を解除している間は、他方の係合部材３０Ｂがガイドワイヤ１７を挟圧保持した状態を維持する。その後、一方の係合部材３０Ａを、ガイドワイヤ１７に対して係合させる。
【００７９】
また、ゴンドラ本体部２を降下させ、他方の係合部材３０Ｂが、取付金具１６の近傍に位置した際には、一方の係合部材３０Ａと同様に、他方の係合部材３０Ｂとガイドワイヤ１７との挟圧保持を解除した後に、他方の係合部材３０Ｂをガイドワイヤ１７から取り外し、自在継手３７を中心として、他方の係合部材３０Ｂを下方向に回動させ、取付金具１６及び一方の係合部材３０Ａより下方に位置するガイドワイヤ１７に対して係合させる。これにより、他方の係合部材３０Ｂは取付金具１６を乗り越えることができる。なお、他方の係合部材３０Ｂとガイドワイヤ１７との挟圧保持を解除している間は、一方の係合部材３０Ａとガイドワイヤ１７は挟圧保持した状態を維持する。
【００８０】
上記のように、一の係合部材３０Ａ（３０Ｂ）とガイドワイヤ１７との係合状態を解除している際には、他の係合部材３０Ｂ（３０Ａ）がガイドワイヤ１７を挟圧保持した状態を維持するようにしたことで、ゴンドラ本体部２が不用意に下方に移動することを抑制することができる。
【００８１】
また、建物１１の外壁面１１ａに対して、養生ネット用取付金具５０を上下方向に適宜間隔を有して複数取付け、この養生ネット用取付金具５０に養生ネット用ガイドワイヤ５１を挿通し、養生ネット用ガイドワイヤ５１に側部昇降養生ネット５３に設けた複数の係合金具５５を取付けているため、ゴンドラ本体部２を降下させると、図１６に示すように、ゴンドラ本体部２の下端部近くに位置する養生ネット用取付金具５０の上部に、側部昇降養生ネット５３が折り重なって集積してしまう。
【００８２】
このため、適宜、側部昇降養生ネット５３の係合金具５５を、養生ネット用ガイドワイヤ５１から取り外した後に、養生ネット用取付金具５０より下側に位置する養生ネット用ガイドワイヤ５１に取付けて、集積した側部昇降養生ネット５３を、それより下方に移動させて、集積状態を解消できる。
【００８３】
ゴンドラ本体部２が、建物１１の高層より低層に位置するほど養生ネット用取付金具５０の上部に集積する側部昇降養生ネット５３の量は多くなる。そのため、建物１１の外壁面１１ａに対して取付ける養生ネット用取付金具５０の上下方向の相互の間隔を、建物１１の下方に向かうほど広くすることにより、養生ネット用取付金具５０の上部に集積可能な側部昇降養生ネット５３の量を、建物１１の下方に向かうほど多くできるとともに、集積状態を解消する回数を減らすことができる。なお、養生ネット用取付金具５０の上下方向の間隔を、建物１１の下方に向かうほど広くしても、養生ネット用ガイドワイヤ５１の下側の左右方向への揺れ移動は少なく、塗料等の飛沫の飛散抑制への影響は少ない。
【００８４】
なお、養生ネット用取付金具５０をフック等で構成し、外壁面１１ａに取付けた所定の養生ネット用取付金具５０から養生ネット用ガイドワイヤ５１を取り外すことができるようにした場合には、養生ネット用取付金具５０から養生ネット用ガイドワイヤ５１を取り外すのみで、自重で側部昇降養生ネット５３の係合金具５５を、養生ネット用ガイドワイヤ５１に沿って、養生ネット用取付金具５０の位置よりも下側に移動させて、集積状態を解消するようにしてもよい。
【００８５】
また、図８に示すように、出窓部１１ｂがなく、ゴンドラ本体部２と正対する外壁面１１ａが１つの平面状の場合には、下側飛散抑制部材４１における下側構成体４１ａ，４１ｂ，４１ｃの前後方向（Ｘ−Ｘ方向）の長さは、すべて同じ長さに調節する。下側飛散抑制部材４１が回転軸４４を中心として上下方向に回動できるため、下側飛散抑制部材４１の先端部は、自重で建物１１の外側面に当接し、隙間を少なくすることができ、下側飛散抑制部材４１より下方に、塗料等が飛散することを抑制できる。
【００８６】
また、図９に示すように、出窓部１１ｂがあり、建物１１の外側面に凹凸がある場合には、出窓部１１ｂに位置する下側飛散抑制部材４１における下側構成体４１ｂの前後方向（Ｘ−Ｘ方向）の長さを調節し、下側構成体４１ｂと出窓部１１ｂとの隙間が殆どないように調節する。なお、出窓部１１ｂの両側に位置する下側構成体４１ａ，４１ｃの前後方向（Ｘ−Ｘ方向）の長さを調節するようにしてもよい。
【００８７】
上記のように、下側飛散抑制部材４１における中央の下側構成体４１ｂの前後方向（Ｘ−Ｘ方向）の長さを調節する場合には、下側飛散抑制部材４１のゴンドラ本体部２に対する角度は略一定となる。建物１１の外側の細かな凹凸や、風等の影響によりゴンドラ本体部２と外壁面１１ａとの距離が変わった場合にも、下側飛散抑制部材４１が回転軸４４を中心として上下方向に回動できるため、自重で下側飛散抑制部材４１の先端部は、建物１１の外側面に当接し、隙間を少なくすることができる。
【００８８】
また、上記のように、下側飛散抑制部材４１における左右の下側構成体４１ａ，４１ｃの前後方向（Ｘ−Ｘ方向）の長さを調節する場合には、下側飛散抑制部材４１が回転軸４４を中心として上下方向に回動できるため、図１２，図１３に示すように、下側飛散抑制部材４１のゴンドラ本体部２に対する角度を変えながら、出窓部１１ｂの有無に応じて追従できるとともに、建物１１の外側の細かな凹凸や、風等の影響によりゴンドラ本体部２と外壁面１１ａとの距離が変わった場合にも、下側飛散抑制部材４１の先端部を常に建物１１の外側面に当接させ、隙間を少なくすることができる。
【００８９】
また、図１０に示すように、出窓部１１ｂがなく、ゴンドラ本体部２と正対する外壁面１１ｃが１つの平面状の場合には、上側飛散抑制部材４５における上側構成体４６ａ〜４６ｈに用いる毛状部材４７の前後方向（Ｘ−Ｘ方向）の長さが、すべて略同じ長さのもので構成されている。これにより、上側飛散抑制部材４５が、回転軸４８を中心として上下方向に回動できるため、自重で上側飛散抑制部材４５の先端部は、建物１１の外側面に当接させることができ、上側飛散抑制部材４５より下方に、塗料等が飛散することを抑制できる。また、上側飛散抑制部材４５は、多数の毛状部材４７で構成されているために、細かな凹凸等にも追従できるため、下側飛散抑制部材４１よりも、塗料等の下方への飛散をより抑制できる。
【００９０】
また、図１１に示すように、建物１１の外側面に、出窓部１１ｂ等の凹凸がある場合には、図１１に示すように、出窓部１１ｂに位置する上側飛散抑制部材４５における取付部材４６の上側構成体４６ｃ〜４６ｆに対して、毛状部材４７を、その先端が、出窓部１１ｂに当接する長さのものに付け替える。なお、出窓部１１ｂの両側に位置する上側構成体４６ａ，４６ｂ，４６ｇ，４６ｈに対して、毛状部材４７を、その前後方向（Ｘ−Ｘ方向）の長さが異なるものに付け替えるようにしてもよい。
【００９１】
上記のように、上側飛散抑制部材４５における中央の上側構成体４６ｃ〜４６ｆの前後方向（Ｘ−Ｘ方向）に用いる毛状部材４７を付け替える場合には、上側飛散抑制部材４５のゴンドラ本体部２に対する角度は略一定となる。建物１１の外側の細かな凹凸や、風等の影響によりゴンドラ本体部２と外壁面１１ａとの距離が変わった場合にも、上側飛散抑制部材４５が回転軸４８を中心として上下方向に回動できるため、自重で上側飛散抑制部材４５の先端部を、建物１１の外側面に当接させることができる。
【００９２】
また、上記のように、上側構成体４６ａ，４６ｂ，４６ｇ，４６ｈに用いる毛状部材４７を付け替える場合には、上側飛散抑制部材４５が回転軸を中心として上下方向に回動できるため、図１２，図１３に示すように、上側飛散抑制部材４５のゴンドラ本体部２に対する角度を変えながら、出窓部１１ｂの有無に応じて追従できるとともに、建物１１の外側の細かな凹凸や、風等の影響によりゴンドラ本体部２と外壁面１１ａとの距離が変わった場合にも、上側飛散抑制部材４５の先端部を常に建物１１の外側面に当接させることができる。
【００９３】
ゴンドラ本体部２の上方以外は、外壁面１１ａ、側部昇降養生ネット５３，５３、後部昇降養生ネット５６、下側養生部材５７により囲まれているため、塗料等の外部への飛散を抑制できる。
【００９４】
ゴンドラ本体部２の周方向を、図１５に示すように、側部昇降養生ネット５３，５３、後部昇降養生ネット５６でコ字状に覆い、側部昇降養生ネット５３，５３、後部昇降養生ネット５６をゴンドラ本体部２の下端より下側で、建物１１の下端部まで延在させたことにより、出窓部１１ｂと養生ネット５３，５６が干渉することなく、本体部２を養生ネット５３，５６とともに昇降することができる。
【００９５】
ゴンドラ本体部２から下方への塗料等の飛散は、下側飛散抑制部材４１と上側飛散抑制部材４５と下側養生部材５７により三重に抑制される。
【００９６】
このようにして、建物１１の下端部まで塗装等を行う。
【００９７】
本実施例１の作業用ゴンドラ装置１は、上記構造、構成を有することにより、上記の記載以外にも、以下の作用、効果を奏する。
【００９８】
建物１１の外壁面１１ａに対して、上下方向に適宜間隔で取付金具１６を取り付け、この取付金具１６の挿通穴１６ａにガイドワイヤ１７を挿通して張設したことにより、このガイドワイヤ１７に係合した係合部材３０を、距離調整部材４０によりゴンドラ本体部２側に引っ張っても、建物１１の下層から上層に至るすべてにおいて、ガイドワイヤ１７の撓みは少なく、ガイドワイヤ１７の位置が安定し、ゴンドラ本体部２を建物１１側に安定して付勢することができる。
【００９９】
また、ゴンドラ本体部２の左右夫々において、係合部材３０Ａ，３０Ｂを２本設け、ゴンドラ本体部２を昇降させるとき以外は、常に、何れかの係合部材３０Ａ（３０Ｂ）でガイドワイヤ１７を挟圧保持した状態を維持できようにしたことで、ゴンドラ本体部２が不用意に下方に移動することを抑制することができる。
【０１００】
また、距離調整部材４０により、ゴンドラ本体部２を建物１１の外壁面１１ａ側に付勢するととともに、伸縮部材２０，２４を、回動部材２２ｄが外壁面１１ａに当接し、かつ、伸縮部材２０，２４を伸縮させて、ゴンドラ本体部２の出窓部１１ｂを除く外壁面１１ａに対する離間距離を所定距離Ｌ１となるように調節することにより、ゴンドラ本体部２を建物１１における出窓部１１ｂを除く外壁面１１ａに対して、略一定の押圧力に保つことができる。
【０１０１】
また、伸縮部材２０，２４は、その伸縮部２２の先端部を前側（外壁面１１ａ側）に付勢する付勢部２２ｃを有することにより、伸縮部材２０，２４を伸縮させて、ゴンドラ本体部２の出窓部１１ｂを除く外壁面１１ａに対する離間距離を所定距離Ｌ１となるように調節した後に、外壁面１１ａにおける小さな凹凸や、風等によりガイドワイヤ１７が撓んだりして位置がずれた際にも、付勢部２２ｃによりそのずれを吸収し、ゴンドラ本体部２の出窓部１１ｂを除く外壁面１１ａに対する離間距離を略一定に保つことができる。
【０１０２】
また、伸縮部材２０，２４を、ゴンドラ本体部２の４隅に設けたことにより、ゴンドラ本体部２の外壁面１１ａに対する位置を安定させることができる。
【０１０３】
また、伸縮部材２０，２４の先端部を、付勢部２２ｃにより外壁面１１ａ側に付勢するとともに、先部に回動部材２２ｄを設けたことにより、ゴンドラ本体部２が、風で煽られるなどした際に、ゴンドラ本体部２が建物１１を損傷させる恐れを低減することができる。
【０１０４】
また、側部昇降養生ネット５３，５３の上端部と後部昇降養生ネット５６の上端部を、ゴンドラ本体部２の上端部に固着し、側部昇降養生ネット５３と後部昇降養生ネット５６の上端をゴンドラ本体部２の昇降に追従して昇降するようにしたことで、上記従来技術と比較して、養生ネット５３，５６の設置面積を少なくできるとともに、養生ネット５３，５６を昇降させる装置が不要となり構造を簡素化し、設置コストを低減できる。また、ゴンドラ本体部２を降下させると、養生ネット５３，５３，５６も同時に降下するために、台風の接近等に応じて、養生ネット５３，５３，５６を降下させる必要がない。
【０１０５】
養生ネット用取付金具５０を、建物１１の外壁面１１ａに複数固定し、養生ネット用取付金具５０に養生ネット用ガイドワイヤ５１を取付け、養生ネット用ガイドワイヤ５１に対して、側部昇降養生ネット５３を係合金具５５により取付けたことにより、養生ネット５３，５６が風等に煽られた際にも、側部昇降養生ネット５３と建物１１の外壁面１１ａとの隙間を小さく抑えることができ、塗料等の外部への飛散を抑制できる。
【０１０６】
なお、ゴンドラ本体部２と、ゴンドラ本体部２を建物１１に対して昇降する方法は、上記実施例の構造、構成に限定されず、任意の構造、構成を用いることができる。
【０１０７】
また、ゴンドラ本体部２の側部、後部、底部からの飛散抑制方法として、側部昇降養生ネット５３、後部昇降養生ネット５６、下側養生部材５７以外にも任意の方法を用いて行うことができる。
【０１０８】
また、下側飛散抑制部材４１を構成する下側構成体４１ａ，４１ｂ，４１ｃを、一体として上下方向に回動するようにしたが、下側構成体４１ａ，４１ｂ，４１ｃを別々に上下方向に回動するようにしてもよい。
【０１０９】
また、上側飛散抑制部材４５の取付部材４６を構成する上側構成体４６ａ〜４６ｈを、一体として上下方向に回動するようにしたが、側構成体４６ａ〜４６ｈを別々に上下方向に回動するようにしてもよい。
【０１１０】
また、上記実施例においては、ゴンドラ本体部２の上部を開口するように形成したが、ゴンドラ本体部２の上部を、上側養生ネットで覆うとともに、その上側養生ネットに昇降用ワイヤ１５が挿通できる穴を形成するようにしてもよい。
【０１１１】
本発明の作業用ゴンドラ装置１は、出窓部１１ｂを有しない建物１１の外壁面１１ａへの洗浄、補修、塗装作業等にも用いることができる。
【０１１２】
［実施例２］
上記実施例１においては、下側飛散抑制部材４１を、少なくとも３つに分割した下側構成体４１ａ，４１ｂ，４１ｃで構成したが、外壁面１１ａに出窓部１１ｂが形成されていない建物１１に対して作業を行う場合には、下側飛散抑制部材４１を、一つの下側構成体で、構成するようにしてもよい。
【０１１３】
同様に、上記実施例１においては、上側飛散抑制部材４５における取付部材４６を複数の上側構成体４６ａ〜４６ｈで構成したが、一つの上側構成体で構成するようにしてもよい。
【０１１４】
上記以外の構造は、上記実施例１と同様であるため説明を省略する。
【０１１５】
また、本実施例２においても、上記実施例１と同様の作用、効果を奏する。
【０１１６】
［実施例３］
上記実施例１，２においては、ゴンドラ本体部２を建物１１の１つの平面からなる外壁面１１ａと、外壁面１１ａから外側に突出し、かつ、外壁面１１ａと平行な外側面を有する出窓部１１ｂに対して正対するように配置したが、図１７に示すように、建物１１において、内角αが９０°となるように配置された２つの外壁面（入隅面）１１ａ，１１ｃに対して、夫々対峙するようにゴンドラ本体部２を配置してもよい。
【０１１７】
例えば、図１７に示すように、一方の外壁面１１ａに対して、ゴンドラ本体部２を上記実施例１，２と同様に形成する。
【０１１８】
ゴンドラ本体部２において、他方の外壁面１１ｃと対向する面には、外壁面１１ｃに対して、洗浄、補修、塗装などの作業を行うための第２作業用開口部６１が形成され、建物１１に対しての作業は、作業用開口部５９，６１を通じで行う。なお、ゴンドラ本体部２における他方の外壁面１１ｃ側の面に、第２作業用開口部６１が形成されていればよく、第２作業用開口部６１を、その横方向全体に亘って形成しても、横方向の一部に形成してもよい。
【０１１９】
全ての作業用開口部５９，６１において、ゴンドラ本体部２の側面方向（周方向）において最も外側に位置する両端部の外側に位置する外壁面１１ａ，１１ｃには、図１７に示すように、上記実施例１と同様に、養生ネット用取付金具５０，５０が、上下方向に適宜間隔を有して複数設けられ、この養生ネット用取付金具５０に養生ネット用ガイドワイヤ５１が張設されている。
【０１２０】
作業用開口部５９における第２作業用開口部６１側と反対側の端部には、上記実施例１と同様に、側部昇降養生ネット５３が配設され、側部昇降養生ネット５３の係合金具５５を、養生ネット用ガイドワイヤ５１に昇降可能に取付け、その反対側はゴンドラ本体部２の後端に固着され、上端は上横桟７ａに固着されている。
【０１２１】
作業用開口部６１における作業用開口部５９側と反対側の端部には、図１７に示すように、後部昇降養生ネット５６が配設されている。後部昇降養生ネット５６の外壁面１１ｃ側には、側部昇降養生ネット５３に設けた係合金具５５と同様の係合金具を用いて、養生ネット用ガイドワイヤ５１に昇降可能に取付け、反対側はゴンドラ本体部２の右側端に固着され、上端は上後桟７ｃに固着されている。
【０１２２】
上記の構造により、ゴンドラ本体部２の作業用開口部５９，６１を設けた面以外の面、及び、作業用開口部５９，６１の両端部におけるゴンドラ本体部２と養生ネット用ガイドワイヤ５１との間は、養生ネット５３，５６により覆われている。
【０１２３】
上記の構成により、作業用開口部５９，６１、養生ネット５３，５６、建物１１で囲まれた作業空間６２がＬ字状に形成され、作業空間６２の周方向は、養生ネット５３，５６により覆われ、作業空間６２内での外壁面１１ａ，１１ｃ等への洗浄、補修、塗装等の作業により生じた飛沫の飛散を抑制できる。
【０１２４】
上記以外の構造は、上記実施例１，２と同様であるため説明を省略する。
【０１２５】
また、本実施例３においても、上記実施例１，２と同様の作用、効果を奏する。
【０１２６】
また、本実施例３においては、１台のゴンドラ本体部２により、建物１１の入隅状の２つの外壁面１１ａ，１１ｃに対して作業を行うことができる。
【０１２７】
なお、作業用開口部６１と外壁面１１ａとの間に、上記実施例１の下側飛散抑制部材４１と上側飛散抑制部材４５と同様の構造を有する下側飛散抑制部材６３と上側飛散抑制部材を、上下方向に回動可能に設けてもよい。
【０１２８】
［実施例４］
上記実施例１〜３においては、ゴンドラ本体部２を一つ用いて作業用ゴンドラ装置１を構成したが、複数のゴンドラ本体部２を、横方向に直列に連結して作業用ゴンドラ装置を構成してもよい。
【０１２９】
例えば、図１８〜図２２に示すように、上記実施例１乃至３のゴンドラ本体部２と同様に構成した２個のゴンドラ本体部２Ａ，２Ｂを、左右方向（Ｙ−Ｙ方向）に配設するとともに、この２台のゴンドラ本体部２Ａ，２Ｂを連結部材６５により連結し、図１９に示すように、夫々のゴンドラ本体部２Ａ，２Ｂの連結部材６５側面には、中間作業用開口部６４を形成してもよい。
【０１３０】
次に、一方のゴンドラ本体部２Ａと他方のゴンドラ本体部２Ｂを連結する連結部材６５について詳述する。
【０１３１】
連結部材６５は、図２１に示すように、隣接するゴンドラ本体部２Ａ，２Ｂ間における前記外壁面と反対側に上下方向に配置した後側連結部６６と、隣接するゴンドラ本体部２Ａ，２Ｂ間における下部に前後方向に配置した下側連結部６７を有する。
【０１３２】
後側連結部６６における左右方向（Ｙ−Ｙ方向）の両端部には、上下方向に配設した後取付支柱６９，６９が設けられている。この各後取付支柱６９，６９を、各ゴンドラ本体部２Ａ，２Ｂの左右方向（Ｙ−Ｙ方向）における内側に位置する後側支柱４ｂ，４ｂに取外し可能に取り付けるようになっている。後取付支柱６９の上下方向の高さは任意に設定し、本実施例においては、後取付支柱６９の上端を、ゴンドラ本体部２Ａ，２Ｂの上端と略同じに位置するようにした。また、後取付支柱６９の下端は、後側支柱４ｂの下端と略同じに位置するように形成されている。
【０１３３】
後取付支柱６９と６９との間には、その上下方向全体に亘って、幕状に形成した連結後飛散抑制部材７０が配設されている。連結後飛散抑制部材７０として、塗料等が透過せず、好ましくは、更に撥水性と撥油性を有し、任意の位置で曲折可能な可撓性を有する部材で構成され、例えば、樹脂、ゴム等で構成することができる。連結後飛散抑制部材７０として、本実施例では樹脂により幕状に形成した部材で構成した。
【０１３４】
連結後飛散抑制部材７０には、その上下方向に適宜間隔を有して複数の付勢部材７２が、左右方向（Ｙ−Ｙ方向）に設けられている。付勢部材は、左右方向（Ｙ−Ｙ方向）に伸縮できるとともに、収縮する方向に付勢する付勢力を有する任意の部材で構成した。本実施例では、付勢部材として、内部に中空部を有する紐状のゴム７２で構成した。
【０１３５】
紐状のゴム７２を、これを伸長させた状態で、左右方向に適宜間隔を有して、連結後飛散抑制部材７０に対して縫着した。これにより、紐状のゴム７２が縮小すると、連結後飛散抑制部材７０は、図２１に示すように、波状（蛇腹状）に曲折される。このように、連結後飛散抑制部材７０は、紐状のゴム７２により、一方のゴンドラ本体部２Ａと他方のゴンドラ本体部２Ｂが近接・離間する方向において、その両端部間の距離が伸縮できるとともに、常時収縮する方向に付勢されている。
【０１３６】
連結後飛散抑制部材７０は、紐状のゴム７２により、一方のゴンドラ本体部２Ａと他方のゴンドラ本体部２Ｂが近接する方向に収縮するように付勢されるとともに、風等に煽られた際にも一定の形状が保持されるようになっている。
【０１３７】
更に、紐状のゴム７２は、左右の後取付支柱６９，６９に固定されるとともに、その両端部が、左右の後取付支柱６９，６９よりも外側に突出するように形成されている。この紐状のゴム７２の両端部を、ゴンドラ本体部２Ａ，２Ｂの後側支柱４ｂ，４ｂに縛って、後側連結部６６を、ゴンドラ本体部２Ａ，２Ｂに取付けることができるようになっている。なお、これ以外の方法により、後側連結部６６をゴンドラ本体部２Ａ，２Ｂに対して取付けるようにしてもよい。
【０１３８】
下側連結部６７は、その左右方向（Ｙ−Ｙ方向）の両端部に、前後方向に配設された下取付支柱７５，７５が設けられている。下取付支柱７５の後端と、後取付支柱６９の下端は、連結部材７８で連結されている。連結部材７８は、任意の部材で構成でき、本実施例では、ゴム、金属等の可撓性を有する部材で構成した。
【０１３９】
各下取付支柱７５は、図２０に示すように、各ゴンドラ本体部２Ａ，２Ｂの左右方向における内側に位置する下側伸縮部材２４，２４に取外し可能に取り付けるようになっている。下取付支柱７５の前端は、下側伸縮部材２４の前端と略同じに位置し、下取付支柱７５の後端は、ゴンドラ本体部２Ａ，２Ｂの後端と略同じに位置するように形成されている。下取付支柱７５を、その軸方向に伸縮できるように形成しても、しなくてもよい。
【０１４０】
下取付支柱７５と７５間には、その前後方向（Ｘ−Ｘ方向）全体に亘って、連結後飛散抑制部材７０と同様に構成された連結下飛散抑制部材７６が配設されている。連結下飛散抑制部材７６と連結後飛散抑制部材７０は一体に形成されている。
【０１４１】
連結下飛散抑制部材７６には、その前後方向（Ｘ−Ｘ方向）に、適宜間隔を有して複数の付勢部材が設けられている。この付勢部材は、連結後飛散抑制部材７０に設けた付勢部材と同様に構成され、本実施例では内部に中空部を有する紐状のゴム７７で構成した。
【０１４２】
連結下飛散抑制部材７６に対する紐状のゴム７７の取付方法は、連結後飛散抑制部材７０に対する紐状のゴム７２と同様に取り付けられ、連結下飛散抑制部材７６は、紐状のゴム７７により、一方のゴンドラ本体部２Ａと他方のゴンドラ本体部２Ｂが近接、離間する方向において、その両端部間の距離が伸縮できるとともに、常時収縮する方向に付勢されている。
【０１４３】
紐状のゴム７７は、左右の下取付支柱７５，７５に固定されるとともに、その両端部は、左右の下取付支柱７５，７５よりも外側に突出するように形成されている。この紐状のゴム７７を、ゴンドラ本体部２Ａ，２Ｂの下側伸縮部材２４，２４に縛って、下側連結部６７を、ゴンドラ本体部２Ａ，２Ｂ取付けることができるようになっている。なお、これ以外の方法により、下側連結部６７をゴンドラ本体部２Ａ，２Ｂに対して取付けるようにしてもよい。
【０１４４】
紐状のゴム７２，７７により、連結部材６５をゴンドラ本体部２Ａ，２Ｂに対して取付け、ゴンドラ本体部２Ａ，２Ｂ同士を連結することができるようになっている。
【０１４５】
飛散抑制部材７０，７６を、付勢部材である紐状のゴム７２，７７により、一方のゴンドラ本体部２Ａと他方のゴンドラ本体部２Ｂが近接、離間する方向に伸縮できるようにしたが、付勢部材７２を設けず、連結後飛散抑制部材７０自体が伸縮できる部材で構成し、一方のゴンドラ本体部２Ａと他方のゴンドラ本体部２Ｂが近接する方向に収縮する部材で構成してもよい。
【０１４６】
連結部材６５は、図２１に示すように、ゴンドラ本体部２Ａ，２Ｂから取り外し可能の一体のユニットで形成されており、現場でゴンドラ本体部２Ａ，２Ｂに対して容易に組み付けることができるようになっている。
【０１４７】
ゴンドラ本体部２Ａ，２Ｂは、建物１１の形状に応じて任意に配置することができ、図１８，図１９に示すように、１枚の外壁面１１ａに対して、２台のゴンドラ本体部２Ａ，２Ｂが夫々正対するように配置してもよいし、図２２に示すように、建物１１の角部（出隅部）１１ｄに対して、２台のゴンドラ本体部２Ａ，２ＢをＬ字状に配置してもよい。
【０１４８】
例えば、図１９に示すように、一方のゴンドラ本体部２Ａと他方のゴンドラ本体部２Ｂを左右方向に配置した場合において、夫々のゴンドラ本体部２における外壁面１１ａと対向する面には、外壁面１１ａに対して、洗浄、補修、塗装などの作業を行うための作業用開口部５９，５９が形成され、建物１１に対しての作業は、作業用開口部５９，５９を通じで行う。
【０１４９】
上記実施例３と同様に、全ての作業用開口部５９，５９における両端部の外側に位置する外壁面１１ａには、図１９に示すように、養生ネット用取付金具５０，５０が、上下方向に適宜間隔を有して複数設けられ、この養生ネット用取付金具５０に養生ネット用ガイドワイヤ５１が取付けられている。
【０１５０】
夫々の作業用開口部５９，５９における左右方向の外側には、上記実施例１と同様に、側部昇降養生ネット５３，５３が配設され、側部昇降養生ネット５３の係合金具５５を、養生ネット用ガイドワイヤ５１に昇降可能に取付け、反対側はゴンドラ本体部２の後端に固着され、上端は上横桟７ａに固着されている。
【０１５１】
ゴンドラ本体部２Ａ，２Ｂ及び連結部材６５の後部は、その左右方向（Ｙ−Ｙ方向）全体に亘って後部昇降養生ネット５６が配設されている。後部昇降養生ネット５６の左右両端部は、夫々のゴンドラ本体部２Ａ，２Ｂの左右方向の外側端に固着され、上端は上後桟７ｃに固着されている。
【０１５２】
上記の構造により、ゴンドラ本体部２Ａ，２Ｂの作業用開口部５９，５９を設けた面以外の面、及び、作業用開口部５９の両端部におけるゴンドラ本体部２と養生ネット用ガイドワイヤ５１との間は、養生ネット５３，５３，５６により覆われている。
【０１５３】
作業用開口部５９，６４、養生ネット５３，５６、建物１１で囲まれた作業空間６６がＴ字状に形成され、作業空間６６の周方向は、養生ネット５３，５６と連結部材６５により覆われ、作業空間６６内での建物１１への洗浄、補修、塗装等の作業により生じる飛沫の飛散を抑制できる。
【０１５４】
上記以外の構造は、上記実施例１〜３と同様であるため説明を省略する。
【０１５５】
また、本実施例４においても、上記実施例１〜３と同様の作用、効果を奏す。
【０１５６】
更に、一方のゴンドラ本体部２Ａと他方のゴンドラ本体部２Ｂとの間を、伸縮できる連結部材６５で連結したことにより、一方のゴンドラ本体部２Ａの高さと、他方のゴンドラ本体部２Ｂの高さが異なったり、風などにより夫々の左右方向の軸がずれた場合においても、連結部材６５により、一方のゴンドラ本体部２Ａと他方のゴンドラ本体部２Ｂとの間の下端部と後端部が覆われ、塗料等の外部への飛散を抑制できる。
【０１５７】
また、図２２に示すように、建物１１の角部（出隅部）１１ｅに対して、２台のゴンドラ本体部２，２をＬ字状に配置した場合においても、図２２に示すように、連結部材６５が三角形状に変形し、一方のゴンドラ本体部２Ａと他方のゴンドラ本体部２Ｂとの間の下端部と後端部を、連結部材６５により覆い、塗料等の外部への飛散を抑制できる。
【０１５８】
［実施例５］
上記実施例１〜４おいては、外壁面１１ａ，１１ｃの上下方向に適宜間隔を有して取付けた取付金具１６に対して、ガイドワイヤ１７を取付けたが、取付金具１６を設けず、ガイドワイヤ１７の上端を建物１１の上部に、下端を建物１１の下部若しくは地上に固設するようにしてもよい。
【０１５９】
上記以外の構造は、上記実施例１〜４と同様であるため説明を省略する。
【０１６０】
また、本実施例５においても、上記実施例１〜４と同様の作用、効果を奏する。
【０１６１】
［実施例６］
上記実施例１〜５においては、ガイドワイヤ１７を、ゴンドラ本体部２と建物１１の間に設けたが、ガイドワイヤ１７をゴンドラ本体部２の後部に設け、ゴンドラ本体部２をガイドワイヤ１７方向へ押すことにより、ゴンドラ本体部２に対し、建物側１１方向に移動する方向への力を常に付与し、すなわち、ゴンドラ本体部２を、建物１１の外壁面１１ａ，１１ｃ側に付勢するようにしてもよい。
【０１６２】
上記以外の構造は、上記実施例１〜５と同様であるため説明を省略する。
【０１６３】
また、本実施例６においても、上記実施例１〜５と同様の作用、効果を奏する。
【０１６４】
［実施例７］
上記実施例１〜６においては、建物１１の外壁面１１ａに、養生ネット用取付金具５０を上下方向に適宜間隔を有して取付け、この養生ネット用取付金具５０に養生ネット用ガイドワイヤ５１を取付けたが、養生ネット用取付金具５０を設けず、養生ネット用ガイドワイヤ５１の上端を建物１１の上部に、下端を建物１１の下部若しくは地上に固設するようにしてもよい。
【０１６５】
上記以外の構造は、上記実施例１〜６と同様であるため説明を省略する。
【０１６６】
また、本実施例７においても、上記実施例１〜６と同様の作用、効果を奏する。
【０１６７】
［その他の実施例］
上記実施例１〜６においては、左右夫々において、係合部材３０Ａ，３０Ｂを２本設けたが、図２３に示すように、作業者１０が命綱８０を建物１１に対して固設するなどして、作業者１０の安全を向上させている場合には、左右の係合部材３０の数を１本とするようにしてもよい。
【０１６８】
上記実施例１〜６においては、係合部材３０Ａを、ガイドワイヤ１７に対して挟圧保持するように係合させたが、係合部材をガイドワイヤ１７に対して係合した状態において、ガイドワイヤ１７の軸方向における一部の外周全体を、引掛部と抜止部により覆われていれば、任意の構造とすることができ、例えば図２４に示すような係合部材８１としてもよい。
【０１６９】
図２４に示す係合部材８１は、上記実施例１の引掛部材３１の引掛部３１ａと同様の構造を有する引掛部８２ａを有し、抜止部８２ｂが、引掛部８２ａの開口部８２ｃを開閉可能にして設けられ、開口部８２ｃは閉方向に常に付勢されている。
【０１７０】
上記実施例１〜６においては、ガイドワイヤ１７をゴンドラ本体部２と建物１１との間、若しくは、ゴンドラ本体部２の後部に設けたが、このガイドワイヤを設けなくてもよい。
【符号の説明】
【０１７１】
１  作業用ゴンドラ装置
２，２Ａ，２Ｂ  ゴンドラ本体部
１０  作業者
１１  建物
１１ａ，１１ｃ  外壁面
５０  養生ネット用取付金具
５１  養生ネット用ガイドワイヤ
５３，５６  養生ネット
５９，６１，６４作業用開口部
６５  連結部材
【図１】
2020101013.tif 000003
【図２】
2020101013.tif 000004
【図３】
2020101013.tif 000005
【図４】
2020101013.tif 000006
【図５】
2020101013.tif 000007
【図６】
2020101013.tif 000008
【図７】
2020101013.tif 000009
【図８】
2020101013.tif 000010
【図９】
2020101013.tif 000011
【図１０】
2020101013.tif 000012
【図１１】
2020101013.tif 000013
【図１２】
2020101013.tif 000014
【図１３】
2020101013.tif 000015
【図１４】
2020101013.tif 000016
【図１５】
2020101013.tif 000017
【図１６】
2020101013.tif 000018
【図１７】
2020101013.tif 000019
【図１８】
2020101013.tif 000020
【図１９】
2020101013.tif 000021
【図２０】
2020101013.tif 000022
【図２１】
2020101013.tif 000023
【図２２】
2020101013.tif 000024
【図２３】
2020101013.tif 000025
【図２４】
2020101013.tif 000026